(57)【特許請求の範囲】
【請求項１】
移動式点滴スタンドであって、
実質的に第１平面に位置する複数のセグメント部材を有する基部を具え、前記複数のセグメント部材は、
第１端部および第２端部を有するメインセグメント部材と、
第１端部および第２端部を有する第１隣接セグメント部材であって、該第１端部が前記メインセグメント部材の前記第１端部に動作可能に接続される第１隣接セグメント部材と、
前記メインセグメント部材および前記第１隣接セグメント部材の接続部に近接して前記基部に動作可能に取り付けられる第１回転部材と、
第１端部および第２端部を有する第２隣接セグメント部材であって、該第１端部が前記メインセグメント部材の前記第２端部に動作可能に接続される第２隣接セグメント部材と、
前記メインセグメント部材および前記第２隣接セグメント部材の接続部に近接して前記基部に動作可能に取り付けられる第２回転部材と、
前記第１隣接セグメント部材の前記第２端部に近接して動作可能に接続される第３回転部材と、
前記第２隣接セグメント部材の前記第２端部に近接して動作可能に接続される第４回転部材と、
前記第１平面に位置する一対の同心円であって、前記第１および第２回転部材が第１の円の円周上に位置し、かつ前記第３および第４回転部材が第２の円の円周上に位置する一対の同心円と、
前記基部と一体化され、かつ柱部を前記第１平面に実質的に垂直に保持可能な支持部と、
を有し、
前記一対の同心円は同一であり、かつ前記第１、第２、第３および第４回転部材が、原則的に前記同一の円の円周上に位置し、
前記メインセグメント部材、前記第１隣接セグメント部材および前記第２隣接セグメント部材がＺ字形を形成し、
前記支持部が、該支持部から無限に延びかつ前記第１平面に対して垂直で前記一対の同心円の中心と交差する縦軸を有することを特徴とする移動式点滴スタンド。
【請求項２】
前記第１、第２、第３および第４回転部材は、前記円周に沿って隣接する部材から等間隔に配置される請求項１に記載の移動式点滴スタンド。
【請求項３】
前記支持部の縦軸は、前記基部の重心と交差する請求項１または２に記載の移動式点滴スタンド。
【請求項４】
前記支持部に近接する前記メインセグメント部材に動作可能に接続される回転部材をさらに具える請求項１〜３のいずれか１項に記載の移動式点滴スタンド。
【請求項５】
第１端部および第２端部を有する第３隣接セグメント部材であって、該第１端部が前記第１隣接セグメント部材の前記第２端部に動作可能に接続される第３隣接セグメント部材と、
前記第３隣接セグメント部材の第２端部に近接して動作可能に取り付けられる第５回転部材と、
第１端部および第２端部を有する第４隣接セグメント部材であって、該第１端部が前記第２隣接セグメント部材の前記第２端部に動作可能に接続される第４隣接セグメント部材と、
前記第４隣接セグメント部材の第２端部に近接して動作可能に取り付けられる第６回転部材と、
前記第１平面に位置する第３の同心円であって、前記第５および第６回転部材が原則的に第３の円の円周上に位置する第３の同心円と、
を具える請求項１〜４のいずれか１項に記載の移動式点滴スタンド。
【請求項６】
前記第１隣接セグメント部材および前記第２隣接セグメント部材に動作可能に取り付けられ、かつ前記第１平面よりも上に配置される張出部材をさらに具える請求項１〜５のいずれか１項に記載の移動式点滴スタンド。
【請求項７】
前記支持部が、前記張出部材と一体化される請求項６に記載の移動式点滴スタンド。
【請求項８】
移動式スタンドであって、
第１端部および第２端部を有するメインセグメント部材と、
第１端部および第２端部を有する第１隣接セグメント部材であって、該第１端部が前記メインセグメント部材の前記第１端部に動作可能に接続される第１隣接セグメント部材と、
第１端部および第２端部を有する第２隣接セグメント部材であって、該第１端部が前記メインセグメント部材の前記第２端部に動作可能に接続される第２隣接セグメント部材と、
前記メインセグメント部材および前記第１隣接セグメント部材の接続部に近接して基部に動作可能に取り付けられる第１回転部材と、
前記メインセグメント部材および前記第２隣接セグメント部材の接続部に近接して前記基部に動作可能に取り付けられる第２回転部材と、
前記第１隣接セグメント部材の前記第２端部に近接して動作可能に接続される第３回転部材と、
前記第２隣接セグメント部材の前記第２端部に近接して動作可能に接続される第４回転部材と、
前記基部と一体化され、かつ柱部を第１平面に実質的に垂直に保持可能な支持部と、
を具え、
前記メインセグメント部材、前記第１隣接セグメント部材および前記第２隣接セグメント部材が、全て前記第１平面に位置しかつＺ字形を形成し、
前記第１、第２、第３および第４回転部材は、円の円周に沿って隣接する部材から等間隔に配置され、
前記支持部が、該支持部から無限に延びかつ前記第１平面に対して垂直で前記基部の重心と交差する縦軸を有することを特徴とする移動式スタンド。
【請求項９】
前記第１および第２回転部材が第１の円の円周上に位置し、前記第３および第４回転部材が第２の円の円周上に位置し、前記第１および第２の円が同心である請求項８に記載の移動式スタンド。
【請求項１０】
前記第１の円および前記第２の円が同一の円周を有する請求項９に記載の移動式スタンド。
【請求項１１】
基部を具える移動式スタンドであって、
該基部は、
第１端部および第２端部を有するメインセグメント部材と、
第１端部および第２端部を有する第１隣接セグメント部材であって、該第１端部が前記メインセグメント部材の前記第１端部に動作可能に接続される第１隣接セグメント部材と、
第１端部および第２端部を有する第２隣接セグメント部材であって、該第１端部が前記メインセグメント部材の前記第２端部に動作可能に接続される第２隣接セグメント部材と、
前記メインセグメント部材および前記第１隣接セグメント部材の接続部に近接して前記基部に動作可能に取り付けられる第１回転部材と、
前記メインセグメント部材および前記第２隣接セグメント部材の接続部に近接して前記基部に動作可能に取り付けられる第２回転部材と、
前記第１隣接セグメント部材の前記第２端部に近接して動作可能に接続される第３回転部材と、
前記第２隣接セグメント部材の前記第２端部に近接して動作可能に接続される第４回転部材と、
第１平面に位置する一対の同心円であって、前記第１および第２回転部材が第１の円の円周上に位置し、かつ前記第３および第４回転部材が第２の円の円周上に位置する一対の同心円と、
を有し、
前記メインセグメント部材、前記第１隣接セグメント部材および前記第２隣接セグメント部材がＺ字形を形成し、
前記第１、第２、第３および第４回転部材は、第２の円の円周上の円周に沿って隣接する部材から等間隔に配置され、
前記基部と一体化され、かつ柱部を前記第１平面に実質的に垂直に保持可能な支持部をさらに具え、該支持部が、該支持部から無限に延びかつ前記第１平面に対して垂直で前記一対の同心円の中心と交差する縦軸を有することを特徴とする移動式点滴スタンド。
【請求項１２】
前記一対の同心円は同一であり、かつ前記第１、第２、第３および第４回転部材が、原則的に前記同一の円の円周上に位置する請求項１１に記載の移動式スタンド。
【請求項１３】
前記支持部の縦軸は、前記基部の重心と交差する請求項１１または１２に記載の移動式スタンド。
【発明の詳細な説明】
【技術分野】
【０００１】
（関連出願）
本出願は、２００８年１０月１０日に出願された格納可能な点滴スタンドに関する米国仮出願番号１２／２８７，５３５号に基づく優先権を主張し、その内容は、参照することにより本出願に組み込まれる。
【０００２】
本発明は、点滴（intravenous:ＩＶ）に用いるスタンドに関し、特に、格納に必要なスペースを縮小するよう格納することができるスタンドに関する。
【背景技術】
【０００３】
今日、多様な型の移動式点滴スタンドが入手可能である。一般に点滴スタンドは、車輪またはこれに類似のものを有する基部支持部材と、この基部支持部材から上方に延在する棒部材を有し、この棒部材から静脈内輸送物(the intravenous delivery unit)を懸吊することで、移動中も使用者に付随することが可能になる。点滴スタンドは、転倒に対して抵抗性があることが望ましい。多くの場合、このような設計は十分に幅広い基部支持部材を有する。残念なことに、幅広い基部支持部材を折りたたむことができない限り、点滴スタンドの格納にかなりの床面積が必要となる。代案として、格納時に点滴スタンドを互いに積み重ねることができるが、スタンドを持ち上げる動作を必要としないことが望ましい。
【０００４】
本発明は、これらおよび他の事項について説明することに関する。
【発明の概要】
【発明が解決しようとする課題】
【０００５】
本発明は、複数の点滴スタンドを互いに近接した状態で格納することを容易にする基部支持部材を有する点滴スタンドに関する。
【０００６】
本発明の第１の実施形態において、移動式点滴スタンドは、実質的に第１平面に位置する複数のセグメント部材を有する基部と、この基部に動作可能に、例えば、ボルト、溶接、プレス嵌め、スナップフィット、およびこのように協動する構成部材を接続するのに用いる当業者に既知の他の接続機構を用いて接続される複数の回転部材とを具える。
【０００７】
張出部材は、基部の２つの隣接セグメント部材間を接続し、張出部材は、複数のセグメント部材の一部分よりも高い位置に配置される部分を有することで、別の同様に構成した移動式点滴スタンドを、この近傍に、かつ張出部材の下に構成することを容易にする。好適には、支持部は、張出部材と一体化され、柱部を第１平面に垂直に保持することができる。
【０００８】
本発明における別の実施形態において、移動式点滴スタンドは、実質的に第１平面内に位置する複数のセグメント部材を有する基部を具える。複数のセグメント部材はさらに、第１端部および第２端部を有し好適にはスタンドの重心を通って延在するメインセグメント部材と、第１端部および第２端部を有する第１隣接セグメント部材であって、この第１端部がメインセグメント部材の第１端部に動作可能に接続される第１隣接セグメント部材と、メインセグメント部材と第１隣接セグメント部材との接続部に近接して基部に動作可能に取り付けられる第１回転部材と、第１端部および第２端部を有する第２隣接セグメント部材であって、この第１端部がメインセグメント部材の第２端部に動作可能に接続される第２隣接セグメント部材と、メインセグメント部材と第２隣接セグメント部材との接続部に近接して基部に動作可能に取り付けられる第２回転部材と、第１隣接セグメント部材の第２端部に近接して基部に動作可能に接続される第３回転部材と、第２隣接部材の第２端部に近接して基部に動作可能に接続される第４回転部材と、第１平面内に位置する一対の同心円であって、第１および第２回転部材が第１の円の円周上に位置しならびに第３および第４回転部材が第２の円の円周上に位置する一対の同心円と、基部と一体化され、実質的に第１平面に対して垂直に柱部を保持することができる支持部とを有する。
【０００９】
代案として、実施形態は、さらに、第１端部および第２端部を有する第３隣接セグメント部材であって、この第１端部が第１隣接セグメント部材の第２端部に動作可能に接続される第３隣接セグメント部材と、第３隣接セグメント部材の第２端部に近接して基部に動作可能に取り付けられる第５回転部材と、第１端部および第２端部を有する第４隣接セグメント部材であって、この第１端部が第２隣接セグメント部材の第２端部に動作可能に接続される第４隣接セグメント部材と、第４隣接セグメント部材の第２端部に近接して基部に動作可能に取り付けられる第６回転部材と、第１平面に位置する第３の同心円であって、第５および第６回転部材が原則的に第３の円の円周上に位置する第３の同心円とを具える。
【００１０】
本発明における代案の実施形態において、同心円は、第１、第２、第３、第４および他の付加的な回転部材が基本的に同じ円の周上に位置し、好適には円周に対して互いに等間隔に配置するような同様の円周を有する。
【００１１】
他の実施形態において、移動式点滴スタンドは、複数のセグメント部材を有する基部であって、複数のセグメント部材がさらに第１端部および第２端部を有する第１セグメント部材と、第１端部および第２端部を有する第２セグメント部材であって、この第１端部を第１セグメント部材の第１端部に動作可能に接続することで第１平面に位置する第１接合部を形成する第２セグメント部材と、第１端部および第２端部を有する張出部材であって、この第１端部が第１接合部に動作可能に取り付けられる張出部材と、第１セグメント部材の第２端部に近接して動作可能に取り付けられる第１回転部材と、第２セグメント部材の第２端部に近接して動作可能に取り付けられる第２回転部材と、張出部材の第２端部に近接して動作可能に取り付けられる第３回転部材であって、第１、第２および第３回転部材が第１平面に平行で第１平面より下方に位置する第２平面内に位置する第３回転部材と、第２平面内に位置する円であって、第１、第２および第３回転部材が基本的に円の周上に位置する円と、基部に一体化され、かつ実質的に第１平面に対して垂直に柱部を保持することができる支持部とを備える。
【００１２】
本発明の目的は、移動式点滴スタンドの格納に必要なスペースが今日使用されている移動式点滴スタンドよりも非常に少なくなるよう、他の同様に構成した移動式点滴スタンドの基部と協調可能な基部を有する、頑強且つ十分な安定の得られる移動式点滴スタンドを提供することにある。
【００１３】
本発明における他の態様および性質を、以下の図面ならびに添付の明細書および特許請求の範囲につき説明する。
このように本発明の性質を概して記載してきたが、以下において好適な実施形態を示す添付図面につき説明する。
【図面の簡単な説明】
【００１４】
【図１】本発明における好適な実施形態の正面斜視図である。
【図２】図１に示した本発明の左側斜視図である。
【図３】図１に示した本発明の右側斜視図である。
【図４】図１に示した本発明の背面斜視図である。
【図５】図１に示した本発明の上部斜視図である。
【図６】図１に示した本発明の底部斜視図である。
【図７】図１に示した本発明における複数の実施形態を格納した斜視図である。
【図８】本発明における代替実施形態の斜視図である。
【図９】本発明における他の代替実施形態の斜視図である。
【図１０】本発明における他の代替実施形態の斜視図である。
【図１１】本発明における他の代替実施形態の斜視図である。
【図１２】柱部を連結した、本発明における様々な実施形態の斜視図である。
【図１３】柱部を連結した、本発明における様々な実施形態の斜視図である。
【図１４】柱部を連結した、本発明における様々な実施形態の斜視図である。
【図１５】本発明における移動式点滴スタンドおよび格納時に連結した柱部の様々な実施形態の斜視図である。
【図１６】本発明における移動式点滴スタンドおよび格納時に連結した柱部の様々な実施形態の斜視図である。
【図１７】本発明における移動式点滴スタンドおよび格納時に連結した柱部の様々な実施形態の斜視図である。
【図１８】本発明における移動式点滴スタンドおよび格納時に連結した柱部の様々な実施形態の斜視図である。
【図１９】Ａ〜Ｃは、それぞれ本発明における移動式点滴スタンドの基部の代替実施形態を図示した正面図、平面図および複数のスタンドを格納した図である。
【図２０】Ａ〜Ｃは、それぞれ本発明における移動式点滴スタンドの基部の代替実施形態を図示した平面図、正面図および複数のスタンドを格納した図である。
【図２１】本発明における移動式点滴スタンドの基部の代替実施形態である。
【図２２】本発明における移動式点滴スタンドの基部の代替実施形態である。
【図２３】本発明における移動式点滴スタンドの基部の代替実施形態である。
【図２４】本発明における移動式点滴スタンドの基部の代替実施形態である。
【図２５】本発明における移動式点滴スタンドの基部の代替実施形態である。
【発明を実施するための形態】
【００１５】
本発明が多くの異なる種類の実施形態を許容するのと同時に、本開示は本発明の原則を例示したものであり、本発明のあらゆる形態を、図説した実施形態に限定することを意図したものではないという理解の下で、本発明は、図面に示され、本発明を実施するための形態で説明される。
【００１６】
本発明の好適な実施形態が図１〜図７に示され、ここでは、基部１２を有し、さらには複数のセグメント部材１４を含む移動式点滴スタンド１０が示される。複数のセグメント部材１４は、実質的に平面２２（図５および図６を参照すると実質的に紙面と平行）内に位置する。複数の回転部材１６（図１〜図７には図示されない）を、基部１２に動作可能に、好適には各セグメント部材の端部に隣接して接続することができる。移動式点滴スタンド１０のあらゆる部位／構成要素の動作可能な接続が、当業者に既知の、溶接、ボルト、螺着、蝶着、ピボット、スナップ、フィッティング、クリンピング、およびそれに類似のもので、ただしこれらには限定されない、協働する構成要素を接続するいかなる接続機構をも利用することを意図することを理解されたい。張出部材１８を基部１２の２つの隣接セグメント部材１４の間に接続し、好適には隣接セグメント部材を越えて延在することでスタンド１０に付加的な安定性を供給する。セグメント部材１４と同様、回転部材１６を張出部材１８の両端部に隣接して取り付けることができる。張出部材１８は、回転部材１６が取り付けられる時、この張出部材の端部が他の回転部材と同一円上に位置し、他の回転部材から等距離となるよう構成する。張出部材１８は、複数のセグメント部材１４と同一の平面には位置しない少なくとも一部分、好適には大部分を含む。すなわち、張出部材１８の少なくとも一部分は、第１平面２２よりも上にまたは高く位置し、好適には第１平面に実質的に平行な別の平面２３に位置する。張出部材１８の高く位置する部分は、この下および近傍に、別の同様に設計された移動式点滴スタンド１０を位置決めすることを容易にする。図７を参照されたい。支持部１９は、好適には基部１２と一体に、柱部２０を保持することができ、実質的に、それぞれが複数のセグメント部材１４および張出部材１８を含む平面２２，２３に垂直であるのが好ましい。
【００１７】
全ての図面に示すように、本発明は、諸量且つ多様なセグメント部材１４、張出部材１８、ならびに回転部材１６を意図している。すなわち、基部１２は、平坦または丸みを帯びた、金属、非金属、プラスチック、ポリマー、ゴム、複合材、固体、非固体、ならびにこれらの組み合わせで作られる金属材料からなる２つまたはそれ以上のセグメント部材１４を含むことができる。図８〜図１４を参照されたい。図１〜図７に示した本発明の好適な実施形態は、アルミニウムからのおよび粉末塗布した鋳造物である。また、車輪、キャスタ、球、およびローラを含むが、これらには限定されない回転部材１６は、当業者に既知の様々なタイプから選択する。
【００１８】
図１９Ａ〜図１９Ｃおよび図２０Ａ〜２０Ｃに示した本発明における他の実施形態において、基部１２は、張出部材１８、少なくとも２つの隣接セグメント部材１４および重心２４に近接した高位の接合部２７を備える。第１端部および第２端部を有する張出部材１８は重心２４に近接した基部１２から延在するが、隣接セグメント部材１４の間を接続することまたはこれを越えて延在することはない。張出部材１８の第１端部を接合部２７に近接した隣接セグメント部材に接続する。張出部材１８の少なくとも一部分を持ち上げ、高位の接合部２７に対しておよそ傾斜させる。傾斜角は約１５°とすることができるが、他の傾斜角とすることもできる。角度を適切な峻度とすることで、１つの基部１２における１つの張出部材を、スタンドの柱が非常に近接するよう、隣接する同様に構成した移動式点滴スタンド１０における別の基部の下に挿入することが容易になる。回転部材を張出部材１８の第２端部に近接して取り付けられることができる。
【００１９】
第１端部および第２端部を有する少なくとも２つの隣接セグメント部材１４は、近接接合部２７から延在する。隣接セグメント部材１４の第１端部を張出部材１８の第１端部である近接接合部２７に着設する。隣接セグメント部材１４の少なくとも一部分を持ち上げ、おそらく持ち上げた接合部２７に対して傾斜させる。傾斜角は、張出部材１８の傾斜と同様とすることができる。回転部材は、隣接セグメント部材の第２端部に近接して取り付けられることができる。
【００２０】
重心が第１平面内に存在し且つ第２端部が第１平面に平行な第２平面内に存在するよう、接合部２７を張出部材１８および隣接セグメント部材１４の第２端部上に持ち上げる。高位の接合部２７は、他の同様に構成した移動式点滴スタンド１０の張出部材１８を接合部２７の下に挿入することならびにスタンド１０を非常に近接させて位置決めすることを容易にする。図１９Ｃおよび図２０Ｃを参照されたい。支持部１９を近接接合部２７に着設する。回転部材（図示せず）を張出部材１８およびセグメント部材１４の各第２端部に近接して着設することができる。付加的なセグメント部材１４´をセグメント部材１４の第２端部に近接して着設することで、基部の安定性を向上することができる。
【００２１】
基部１２の少なくとも２つのセグメント部材１４の間に延在する張出部材１８を有する本発明の全ての実施形態、例えば図１〜図１８、図２３および図２４、において、好適には、図７および図１５〜図１８に示すように、格納時に隣接スタンド１０のセグメント部材部分を張出部材の下に挿入することでスタンドを近接して位置決めすることができるよう、張出部材の少なくとも一部分を複数のセグメント部材部分より上に配置する。張出部材１８を基部１２の中心に近接した２つの隣接セグメント部材１４の間に延在するよう示す一方、張出部材はセグメント部材を越えて延在することができ（図１〜図７に示す）、および／または他のセグメント部材に同様に着設することができる、ということを理解されたい。付加的な独立した張出部材１８を利用して次の隣接セグメント部材１４間に分岐させることで、基部１０により増大した強度をもたらすことができる。付加的な張出部材１８は、好適には、複数のセグメント部材部分より上に位置する少なくとも一部分も有することで、格納時に付加的なスタンドを近接して位置決めすることが容易となる。付加的な張出部材１８を少なくとも２つのセグメント部材１４(直接隣接するセグメント部材である必要は無い)の間に分岐することができ、さらに延長する場合でも基部の中心付近を通過するよう整列させる必要は無い。本発明は、さらに、付加的な支持部１９を付加的な独立した張出部材１８に着設または一体化することを考慮している。
【００２２】
図２１および図２２に示す本発明におけるさらにもう一つの実施形態において、移動式点滴スタンド１０は、重心２４を有し実質的に平面２２（実質的に紙面に平行）内に位置する基部１２を備える。基部１２は、好適には基部１２における重心２４を通って延在するまたは近接するメインセグメント部材２６を有する。第１端部および第２端部を有する第１隣接セグメント部材２８をメインセグメント部材の第１端部３０に着設し、第１端部および第２端部を有する第２隣接セグメント部材３２をメインセグメント部材２６の第２端部３４に着設することで、Ｚ字形の基部１２を形成する。メインセグメント部材２６と第１隣接セグメント部材２８および第２隣接セグメント部材３２との間の角度αが連結地点に形成される。角度αは、約１５°〜７５°である。第１回転部材（図２１および図２２に図示せず）をメインセグメント部材２６と第１隣接セグメント部材２８との連結付近に着設することができ、第２回転部材（図２１および図２２に図示せず）をメインセグメント部材２６と第２隣接セグメント部材３２との連結部位付近に着設することができる。付加的なセグメント部材１４´を隣接セグメント部材１４の第２端部に近接して着設することで、ジグザグ形を有する基部１２を形成する。付加的なセグメント部材１４´は、スタンドの安定性を向上させる。回転部材をセグメント部材１４´の自由端部に着設することができる。柱部２０（図２１および図２２に図示せず）は、基部を他の同様に構成した移動式点滴スタンドの対応するセグメント部材に近接して位置決めすることができるよう、好適には基部１２と一体であり重心２４に近接する支持部１９から実質垂直に延在することができる。付加的な回転部材１６を、基部１２のメインセグメント部材２６ならびに重心２４および／または支持部１９に近接して着設することができる。
【００２３】
図２１〜図２３に示すように、また本発明における図面に示した様々な実施形態にも適用可能であるが、一組の回転部材を基部１２に着設することができ、ここにおいて一組の回転部材を平面２２と平行に位置する円４０の円周上に配置し、円の中心が好適にはスタンド１０の重心２４に近接する支持部１９の中心に整列することが望ましい。付加的な回転部材を、さらに基部１２に着設しまた円周４０上に、好適には円周に沿って互いに等間隔に配置する。
【００２４】
図１〜図７を参照すると、張出部材１８を、隣接セグメント部材１４を越えて延在する端部に着設した回転部材が他の回転部材と並んで円周４０上に位置するよう構成し、ここにおいて回転部材を好適には円周に沿って互いに等間隔に配置する。図１〜図７において、張出部材の片側半分は、実質的に隣接セグメント部材の１つに垂直であり、張出部材の対側半分は、実質的に他の隣接セグメント部材に垂直である。円周４０の周囲に回転部材１６を等間隔とすることで、基部に大きな安定性をもたらす。
【００２５】
ただし、全ての回転部材１６を円周４０に近接して配置する必要は無く、むしろ支持部１９から異なる間隔とすることができる、ということに注意されたい。つまり、他の回転部材を、好適には一組で、支持部１９またはスタンド１０の重心２４周囲の第１円周４０と同心円である異なる円周を有する他の円の周囲に配置することができるが、同心円の円周は異なる直径を有する（図２４および図２５参照）。
【００２６】
当業者が本明細書に記載の本発明における付加的な実施形態を予測し得ることおよび本発明の範囲を記載の実施形態に限定しないことに注意されたい。本発明の具体的な実施形態を図示および説明した一方、多数の変更を本発明の趣旨から逸脱することなく予測することができ、また保護範囲を添付の特許請求の範囲にのみ限定する。
【図１】
0005607195.tif 000002
【図２】
0005607195.tif 000003
【図３】
0005607195.tif 000004
【図４】
0005607195.tif 000005
【図５】
0005607195.tif 000006
【図６】
0005607195.tif 000007
【図７】
0005607195.tif 000008
【図８】
0005607195.tif 000009
【図９】
0005607195.tif 000010
【図１０】
0005607195.tif 000011
【図１１】
0005607195.tif 000012
【図１２】
0005607195.tif 000013
【図１３】
0005607195.tif 000014
【図１４】
0005607195.tif 000015
【図１５】
0005607195.tif 000016
【図１６】
0005607195.tif 000017
【図１７】
0005607195.tif 000018
【図１８】
0005607195.tif 000019
【図１９】
0005607195.tif 000020
【図２０】
0005607195.tif 000021
【図２１】
0005607195.tif 000022
【図２２】
0005607195.tif 000023
【図２３】
0005607195.tif 000024
【図２４】
0005607195.tif 000025
【図２５】
0005607195.tif 000026